(57)【要約】【課題】  つまみを押し込んだ状態、および、つまみを押し込んでいない状態の両状態において、つまみのがたつきを防止できるスイッチ操作装置のガイド部材を提供すること。【解決手段】  ガイド部材２は、スイッチ本体部３から延設されたシャフト４およびシャフト４に取り付けられたつまみ５が内部を貫通するための筒状部２ａと、筒状部２ａの内周面に形成され、つまみ５が押し込まれていない状態のときにつまみ５の外周部５ｂに接触してつまみ５を支持する第１のリブ２ｃと、第１のリブ２ｃとは独立して筒状部２ａの内周面に形成され、つまみ５が押し込まれた状態のときにつまみ５の外周部５ｂに接触してつまみ５を支持する第２のリブ２ｄとを備える。【選択図】図１
2007115469.tif 000002
【特許請求の範囲】
【請求項１】
スイッチ本体部から延設されたシャフトおよび該シャフトに取り付けられたつまみが内部を貫通するための筒状部と、
該筒状部の内周面に形成され、該つまみが押し込まれていない状態のときに該つまみの外周部に接触して該つまみを支持する第１の支持部と、
該第１の支持部とは独立して該筒状部の内周面に形成され、該つまみが押し込まれた状態のときに該つまみの外周部に接触して該つまみを支持する第２の支持部とを備える、ガイド部材。
【請求項２】
前記第１の支持部および前記第２の支持部が、前記筒状部の周方向において互いに異なる位置に形成されている、請求項１に記載のガイド部材。
【請求項３】
前記第１の支持部および前記第２の支持部が、前記つまみと接触する傾斜面を有しており、
該第１の支持部の傾斜面が、前記つまみが押し込まれる方向に向かって該つまみとの距離が大きくなるように形成され、
該第２の支持部の傾斜面が、該つまみが押し込まれる方向に向かって該つまみとの距離が小さくなるように形成されている、請求項１または２に記載のガイド部材。
【請求項４】
前記筒状部から延設されたフランジをさらに備え、
該フランジには前記第２の支持部に対向する位置にスリットが形成されている、請求項３に記載のガイド部材。
【請求項５】
前記第１の支持部が前記筒状部の一端から連続的に形成され、
前記第２の支持部が該筒状部の他端から連続的に形成されている、請求項１〜４のいずれかに記載のガイド部材。
【請求項６】
前記第１の支持部が、前記第２の支持部の少なくとも一部に対向している、請求項５に記載のガイド部材。
【請求項７】
請求項１〜６のいずれかに記載のガイド部材と、
オン状態およびオフ状態に切り換え可能な前記スイッチ本体部と、
該スイッチ本体部から延設された前記シャフトと、
該シャフトの先端に取り付けられた前記つまみとを備える、スイッチ操作装置。
【発明の詳細な説明】
【技術分野】
【０００１】
本発明は、押込み式のスイッチ操作装置およびそのガイド部材に関する。
【背景技術】
【０００２】
従来、図３に示す通り、オーディオ装置などの電気・電子機器は、その動作を設定するためのスイッチ操作装置を備えている。スイッチ操作装置は、スイッチ本体部３３と、シャフト３４と、つまみ３５とを有している。つまみ３５がユーザによって押し込まれることにより、シャフト３４の変位がスイッチ本体部３３に伝達され、スイッチ本体部３３がオン状態に設定される。スイッチ操作装置は、つまみ３５の押し込み方向と直交する方向へのつまみ３５のがたつきを防止するために、ガイド部材３３をさらに有している（例えば、特許文献１）。
【０００３】
ガイド部材３３は、筒状に形成された筒状部と、筒状部の内周面に複数設けられたリブ３３ｃとを有している。リブ３３ｃは、つまみ３５の外周面と接触することによって、つまみ３５のがたつきを防止して、つまみ３５を支持する。リブ３３ｃは、筒状部の一端から他端まで連続的（一体的）に形成されている。
【０００４】
【特許文献１】特開２００４−２８１３２２号公報
【発明の開示】
【発明が解決しようとする課題】
【０００５】
リブ３３ｃがつまみ３５の外周面に対して平行に形成されていれば、つまみ３５の押し込み位置によらず、つまみ３５のがたつきを良好に防止することができる。しかし、実際には、樹脂によって金型を用いてリブ３３ｃを形成する場合、金型の抜き勾配によって、リブ３３ｃのつまみ３５と接触する面は傾斜面が形成される。具体的には、リブ３３ｃの傾斜面は、つまみ３５が押し込まれる方向に向かってつまみ３５との距離が大きくなっている。その結果、図３（ｂ）に示すとおり、つまみ３５が押し込まれていない状態では、つまみ３５がリブ３３ｃと接触するので、つまみ３５のがたつきを防止できるが、図３（ａ）およびその要部拡大図である図３（ｃ）に示すとおり、つまみ３５が押し込まれた状態では、リブ３３ｃとつまみ３５との間に隙間が生じ、リブ３３ｃとつまみ３５とが接触せず、つまみ３５のがたつきを防止することができない。
【０００６】
本発明の目的は、つまみを押し込んだ状態、および、つまみを押し込んでいない状態の両状態において、つまみのがたつきを防止できるスイッチ操作装置のガイド部材を提供することである。
【課題を解決するための手段】
【０００７】
本発明の好ましい実施形態によるガイド部材は、スイッチ本体部から延設されたシャフトおよび該シャフトに取り付けられたつまみが内部を貫通するための筒状部と、該筒状部の内周面に形成され、該つまみが押し込まれていない状態のときに該つまみの外周部に接触して該つまみを支持する第１の支持部と、該第１の支持部とは独立して該筒状部の内周面に形成され、該つまみが押し込まれた状態のときに該つまみの外周部に接触して該つまみを支持する第２の支持部とを備える。
【０００８】
好ましくは、上記第１の支持部および前記第２の支持部は、上記筒状部の周方向において互いに異なる位置に形成されている。
【０００９】
好ましくは、上記第１の支持部および上記第２の支持部は、上記つまみと接触する傾斜面を有しており、該第１の支持部の傾斜面は、上記つまみが押し込まれる方向に向かって該つまみとの距離が大きくなるように形成され、該第２の支持部の傾斜面は、該つまみが押し込まれる方向に向かって該つまみとの距離が小さくなるように形成されている。ガイド部材は、上記筒状部から延設されたフランジをさらに備え、該フランジには上記第２の支持部に対向する位置にスリットが形成されている。
【００１０】
上記第１の支持部は上記筒状部の一端から連続的に形成され、上記第２の支持部が該筒状部の他端から連続的に形成されている。
【００１１】
上記第１の支持部は、上記第２の支持部の少なくとも一部に対向している。
【００１２】
本発明の好ましい実施形態によるスイッチ操作装置は、上記いずれかのガイド部材と、オン状態およびオフ状態に切り換え可能な上記スイッチ本体部と、該スイッチ本体部から延設された上記シャフトと、該シャフトの先端に取り付けられた上記つまみとを備える。
【発明の効果】
【００１３】
ガイド部材の筒状部の内周面に第１の支持部と第２の支持部とが独立して形成されているので、つまみが押し込まれていない状態では、第１の支持部がつまみに接触することにより、つまみのがたつきを防止できる。一方、つまみが押し込まれた状態では、第２の支持部がつまみに接触することにより、つまみのがたつきを防止できる。すなわち、第１の支持部、第２の支持部をそれぞれ独立して形成することにより、第１の支持部および第２の支持部は、その長さを長くする必要がないので、従来のように金型の抜き勾配による傾斜面によって第１、第２の支持部とつまみとの間に隙間が生じることがない。その結果、つまみが押し込まれていない状態、および、つまみが押し込まれた状態の両状態において、一方の支持部がつまみに十分に接触し、つまみのがたつきを防止できる。
【発明を実施するための最良の形態】
【００１４】
以下、本発明の好ましい実施形態によるガイド部材を備えるスイッチ操作装置について説明するが、本発明はこれらの実施形態には限定されない。図１は、スイッチ操作装置１の全体構成を示す断面図である。図２Ａは、ガイド部材２の構成を示す詳細図であり、（ｂ）は後側（スイッチ本体部３側）から見たときの平面図、（ａ）は（ｂ）におけるＡ−Ｏ−Ｄ面による断面図である。また、図２Ｂ（ａ）は、第１のリブ２ｃを説明する拡大図であり、図２Ｂ（ｂ）は、第２のリブ２ｄを説明する拡大図である。図１（ａ）は、図２Ａ（ｂ）におけるＡ−Ｏ−Ｃ面による断面図に対応し、つまみ５が押し込まれた状態を示している。図１（ｂ）は、図２Ａ（ｂ）におけるＢ―Ｏ―Ｄ面による断面図に対応し、つまみ５が押し込まれていない状態を示している。ここで、つまみ５が押し込まれた状態とは、つまみ５が最も後側（スイッチ本体部３側）に位置する状態であり、スイッチ本体部３がオンの状態である。つまみ５が押し込まれていない状態とは、つまみ５が最も前側（フロントパネル１１側）に位置する状態であり、スイッチ本体部３がオフの状態である。なお、本実施形態において、図面左側を前側とし、右側を後側として説明する。
【００１５】
スイッチ操作装置１は、ガイド部材２と、スイッチ本体部３と、シャフト４と、つまみ５とを備えている。スイッチ本体部３は、ユーザの押圧操作によってオン状態／オフ状態が切り換えられる押圧式のスイッチであり、オーディオ機器のシャーシ１０にネジ等によって取り付けられている。シャフト４は、スイッチ本体部３の一端から延設され、その先端部にはつまみ５が取り付けられ（嵌合され）ている。
【００１６】
つまみ５は、ユーザが押圧操作するための部分であり、筒形状（例えば、円筒形状）を有する本体部５ａと、本体部５ａの端部において径方向外側に延設された延設部５ｂと、本体部５ａを覆うカバー５ｃとを含む。つまみ５の各部は、代表的には、樹脂によって形成されている。延設部５ｂは、本体部５ａと直交する方向に形成された直交部と、本体部５ａと平行する方向に形成された外周部とからなり、外周部が後述する第１および第２のリブと接触する。つまみ５は、本体部５ａの一部がフロントパネル１１から突出するようにシャフト４の先端に取り付けられ、つまみ５をユーザが押圧操作することによって、スイッチ本体部３のオン状態／オフ状態が切り換えられる。
【００１７】
ガイド部材２は、つまみ５の押し込み方向と直交する方向につまみ５ががたつくことなく、つまみ５を押し込み方向／押し込み解除方向に進退させるためのものである。ガイド部材２は、代表的には、樹脂によって形成されている。図２Ａ、Ｂにその詳細を示すとおり、ガイド部材２は、略筒状に形成された筒状部２ａと、フランジ２ｂと、第１の支持部（以下、第１のリブ）２ｃと、第２の支持部（以下、第２のリブ）２ｄとを有する。
【００１８】
筒状部２ａは、ガイド部材２の本体部を構成する部分であり、内部に形成されている中空部につまみ５およびシャフト４が貫通している。本実施形態において、筒状とは、内部が中空である形状を指し、その外周形状には限定されない。本例では、筒状部２ａは、円筒状であるが多角形（例えば、長方形）の筒状でもよい。
【００１９】
フランジ２ｂは、筒状部２ａの一端（フロントパネル１１側）において、径方向内側および外側に向かって延設されたつば状の部分である。フランジ２ｂの内側部分は、つまみ５の延設部５ｂが当接することにより、つまみ５がフロントパネル１１から脱落することを防止するものである。フランジ２ｂの外側部分は、フロントパネル１１に取り付けられる。フランジ２ｂのさらに内周側には、筒状部２ａ内部の中空部と連通する開口２ｅが形成されており、つまみ５が開口２ｅを介して表面側に突出している。
【００２０】
第１のリブ２ｃは、つまみ５が押し込まれていない（スイッチ本体部がオフ）状態のときに、延設部５ｂの外周部と接触することにより、つまみ５を支持して、つまみ５のがたつきを防止するものである。第１のリブ２ｃは、筒状部２ａの内周面に複数（本例では、３つ）、例えば等間隔に設けられている。第１のリブ２ｃは、図２Ａ（ａ）、図２Ｂ（ａ）に示すとおり、筒状部２ａの一端（フランジ２ｂ）側から筒状部２ａの長さ方向（図において横方向）のほぼ中間位置（例えば、筒状部２ａの長さの７０％程度）まで連続して（延びて）形成されている。第１のリブ２ｃが形成される部分は、つまみ５が押し込まれていない状態の延設部５ｂの位置から、押し込み動作（および押し込み解除動作）の途中における延設部５ｂの位置までに対応している。
【００２１】
第１のリブ２ｃは、押し込み方向（スイッチ本体部３の方向）に向かって延設部５ｂとの距離が徐々に増加するような傾斜面を有している。すなわち、第１のリブ２ｃは、フランジ２ｂ側においては延設部５ｂに十分に（但し、つまみ５が移動可能な程度に）接触する厚みを有しており、押し込み方向に向かってその厚みが漸減し、延設部５ｂと第１のリブ２ｃとの接触が次第に解放されるように形成されている。このような傾斜面が形成されることにより、つまみ５の押し込み時および押し込み解除時に、滑らかにつまみ５を押し込み方向（または、押し込み解除方向）に進退させることができる。第１のリブ２ｃが徐々に延設部５ｂに接触しなくなる（または、接触する）からである。さらには、つまみ５の押し込み解除時に、延設部５ｂが第１のリブ２ｃに滑らかに乗り上がることができる。なお、このような傾斜面は、ガイド部材２を形成するための右側金型を図面右方向に抜くことによって形成されている。
【００２２】
第１のリブ２ｃの幅（周方向の幅）は、押し込み方向に向かって、徐々に狭くなることが好ましい。つまみ５が押し込まれるにしたがい、第１のリブ２ｃと延設部５ｂとの接触（対向）面積が徐々に小さくなるので、つまみ５が滑らかに移動できるからである。
【００２３】
第２のリブ２ｄは、つまみ５が押し込まれた（スイッチ本体部３がオン）状態のときに、延設部５ｂの外周部と接触することにより、つまみ５を支持して、つまみ５のがたつきを防止するものである。第２のリブ２ｄは、筒状部２ａの内周面に、複数（本例では、３つ）、例えば等間隔に設けられている。第２のリブ２ｄは、図２Ａ（ｂ）に示す通り、周方向において第１のリブ２ｃと異なる位置に（第１のリブ２ｃと交互に）、第１のリブ２ｃとは独立して形成されている。ここで、独立して形成するとは、図３のように連続的（一体的）に形成されるのではなく、互いに離間して形成されていることを意味する。これにより、つまみ５が押し込まれていない状態、および、つまみ５が押し込まれた状態の両状態においてつまみ５のがたつきを防止できるように、第１および第２のリブを形成できる。また、第１のリブ２ｃ、第２のリブ２ｄを周方向に異なる位置に形成することにより、後述するように、第１のリブ２ｃおよび第２のリブ２ｄの傾斜面の傾斜方向を逆向きにすることができる。
【００２４】
第２のリブ２ｄは、図２Ａ（ａ）、図２Ｂ（ｂ）に示すとおり、筒状部２ａの他端（スイッチ本体部３）側から筒状部２ａの長さ方向のほぼ中間位置（例えば、筒状部２ａの長さの３０％程度）まで連続的に形成されている。第２のリブ２ｄが形成される部分は、つまみ５が押し込まれた状態の延設部５ｂの位置から、押し込み動作（および押し込み解除動作）の途中における延設部５ｂの位置までに対応している。
【００２５】
第２のリブ２ｄは、押し込み方向（スイッチ本体部３の方向）に向かって延設部５ｂとの距離が徐々に減少するような傾斜面を有している。すなわち、第２のリブ２ｄは、スイッチ本体部３側においては、延設部５ｂに十分に（但し、つまみ５が進退可能な程度に）接触する厚みを有しており、フランジ２ｂ方向に向かってその厚みが漸減し、延設部５ｂと第２のリブ２ｄとの接触が次第に解放されるように形成されている。このような傾斜面が形成されることにより、つまみ５の押し込み時（または、押し込み解除時）に、滑らかにつまみ５を押し込み方向（または、押し込み解除方向）に進退させることができる。第２のリブ２ｄが、延設部５ｂに徐々に接触する（または、接触しなくなる）からである。さらには、つまみ５の押し込み時に、延設部５ｂが第２のリブ２ｄに滑らかに乗り上がることができる。このような傾斜面は、左側金型を図面左（フランジ２ｂ）方向に抜くことによって形成され、そのために、フランジ２ｂの第２のリブ２ｄに対向する部分には、左側金型を挿入および抜くためのスリット２ｆが形成されている。スリット２ｆは、第２のリブ２ｄの形状を有する金型を抜くために、第２のリブ２ｄの形状をフランジ２ｂに投影した形状よりやや大きい形状を有している。
【００２６】
第２のリブ２ｄが形成される幅（周方向幅）は、押し込み方向に向かって、徐々に広くなることが好ましい。つまみ５を押し込み解除するにつれて、第２のリブ２ｄと延設部５ｂとの接触（対向）面積が徐々に小さくなるので、つまみ５が滑らかに移動できるからである。
【００２７】
図２Ａ（ａ）に示すとおり、第１のリブ２ｃの後端部（筒状部２ａの長さ方向の中間位置に対応する端部）は、第２のリブ２ｄの少なくとも一部に対向している。すなわち、筒状部２ａの長さ方向のいずれの位置においても、第１のリブ２ｃ、第２のリブ２ｄのどちらか（または、両方）が必ず形成されている。本例では、第１のリブ２ｃの後端部は、第２のリブ２ｄの前端部（筒状部２ａの長さ方向の中間位置に対応する端部）に対向している。これにより、つまみ５が押し込まれるとき、延設部５ｂの先端が第１のリブ２ｃに対向しなくなると同時に、第２のリブ２ｄに対向する。その結果、延設部５ｂは、先端がいずれのリブにも対向しなくなることがないので、滑らかに第１のリブ２ｃまたは第２のリブ２ｄの傾斜面に乗り上がることができる。
【００２８】
または、第２のリブ２ｄが筒状部２ａの長さ方向の５０％程度の位置まで形成されており、第１のリブ２ｃと第２のリブ２ｄとが、筒状部２ａの長さ方向の中間位置において対向するように形成されてもよい。この場合には、つまみ５が押し込まれるとき、延設部５ｂの先端は、第１のリブ２ｃに対向しなくなる前に第２のリブ２ｄに対向する（つまり、第１のリブ２ｃ、第２のリブ２ｄの両方に対向する）ので、滑らかに第１のリブ２ｃまたは第２のリブ２ｄの傾斜面に乗り上がることができる。
【００２９】
以上の構成を有する装置について、つまみ５が押し込まれた状態および押し込まれていない状態におけるつまみ５とガイド部材２との関係について図１を参照して説明する。まず、図１（ｂ）に示すとおり、つまみ５が押し込まれていない状態では、延設部５ｂが第１のリブ２ｃに接触しており、第２のリブ２ｄには接触していない。このとき、延設部５ｂの外周面が第１のリブ２ｃによって支持されているので、つまみ５は押し込み方向に直交する方向にがたつくことが防止される。
【００３０】
ユーザの操作によってつまみ５が押圧されると、つまみ５は第１のリブ２ｃの傾斜面に沿ってスイッチ本体部３側に移動し、延設部５ｂは第１のリブ２ｃに次第に接触しなくなる。つまみ５がさらに移動すると、延設部５ｂの先端が第１のリブ２ｃに対向しなくなると同時に、第２のリブ２ｄに対向するようになる。延設部５ｂは、つまみ５の移動に伴って、第２のリブ２ｄの傾斜面に滑らかに乗り上がり、最終的に図１（ａ）に示す位置まで進み、つまみ５が押し込まれた（スイッチ本体部３がオンの）状態になる。この状態では、延設部５ｂが第２のリブ２ｄに接触しており、第１のリブ２ｃには接触していない。このとき、延設部５ｂの外周面が第２のリブ２ｄによって支持されているので、つまみ５は押し込み方向に直交する方向にがたつくことが防止される。
【００３１】
なお、つまみ５が押し込み解除される際には、以上と逆の動作が行われるがその詳細について同様であるので省略する。以上のように、本実施形態では、第１のリブ２ｃおよび第２のリブ２ｄが設けられることにより、つまみ５が押し込まれた状態および押し込まれていない状態の両状態において、つまみ５のがたつきを防止することができる。さらに、第１のリブ２ｃおよび第２のリブ２ｄの傾斜面が逆方向に傾斜しているので、延設部５ｂは滑らかに第１のリブ２ｃおよび第２のリブ２ｄに乗り上がることができる。
【００３２】
以上、本発明の好ましい実施形態を説明したが、本発明はこれらの実施形態には限定されない。
【産業上の利用可能性】
【００３３】
本発明は、オーディオ装置などの電気・電子機器における押し込み式のスイッチ操作装置に好適に採用され得る。
【図面の簡単な説明】
【００３４】
【図１】本発明の好ましい実施形態によるスイッチ操作装置を示す概略断面図である。
【図２Ａ】ガイド部材の詳細を示す、（ａ）断面図および（ｂ）平面図である。
【図２Ｂ】（ａ）第１のリブ２ｃを示す拡大図、（ｂ）第２のリブ２ｃを示す拡大図である。
【図３】従来のスイッチ操作装置およびガイド部材を示す断面図である。
【符号の説明】
【００３５】
１              スイッチ操作装置
２              ガイド部材
２ａ            筒状部
２ｃ            第１のリブ
２ｄ            第２のリブ
３              スイッチ本体部
４              シャーシ
５              つまみ
【図１】
2007115469.tif 000003
【図２Ａ】
2007115469.tif 000004
【図２Ｂ】
2007115469.tif 000005
【図３】
2007115469.tif 000006